(57)【要約】【課題】テレビジョン受像機において、ユーザに煩雑な操作を強いることなく、複数の場所からテレビジョン受像機を視聴しようとした場合においても所望の角度にモニタ部の角度をセット可能とする。【解決手段】いずれかのリモコン装置から指令の入力を受けると（＃１においてＹＥＳ）、入力された指令を実行し（＃２）、筐体の角度を変更する旨の表示を映像出力部にオンスクリーンディスプレイにより表示させる（＃３）。そして、ヘッダ情報に基づいてどのリモコン装置が操作されたのかを判別し（＃４）、台座に対する筐体の角度が該当するリモコン装置について設定されている角度と一致するように、回転駆動部を制御する（＃５，６）。【選択図】図５
2008294975.tif 000002
【特許請求の範囲】
【請求項１】
テレビジョン放送信号を受信する受信手段と、この受信手段によって受信された放送信号を処理して映像信号及び音声信号に分離する映像音声信号処理手段と、この映像音声信号処理手段によって分離された映像信号を出力する映像出力手段と、映像音声信号処理手段によって分離された音声信号を出力する音声出力手段と、上記各部を制御する制御手段と、上記各部を収容する筐体と、この筐体を回動自在に支持する台座と、この台座に対して前記筐体を回動駆動する回動駆動手段と、前記制御手段に各種の指令を遠隔的に入力可能な第１指令入力手段と、この第１指令入力手段とは異なる場所から前記制御手段に各種の指令を遠隔的に入力可能な第２指令入力手段とを備えたテレビジョン受像機において、
前記第１指令入力手段及び第２指令入力手段ごとに、前記台座に対する前記筐体の角度を設定可能であり、
前記制御手段は、
前記第１指令入力手段及び第２指令入力手段のいずれか一方から指令の入力を受けたとき、該指令が前記いずれの指令入力手段から入力されたものかを判別し、
前記台座に対する前記筐体の角度が該当する指令入力手段について設定されている角度と一致するように、前記回転駆動手段を制御することを特徴とするテレビジョン受像機。
【請求項２】
前記制御手段は、いずれかの指令入力手段から入力された指令を実行した後、前記回転駆動手段を制御することを特徴とする請求項１に記載のテレビジョン受像機。
【請求項３】
前記制御手段は、前記回転駆動手段を制御する前又は制御する際に、前記筐体を回動させている旨の表示を前記映像出力手段から出力させることを特徴とする請求項１に記載のテレビジョン受像機。
【請求項４】
前記第２指令入力手段は、前記第１指令入力手段に対して入力可能な指令が制限されていることを特徴とする請求項１に記載のテレビジョン受像機。
【発明の詳細な説明】
【技術分野】
【０００１】
本発明は、視聴者の位置に応じてモニタ部を回転させる機能を有するテレビジョン受像機に関するものである。
【背景技術】
【０００２】
従来から、リモコン（リモートコントローラ）装置から受けた回転指令に応じてモニタ部を回転させるテレビジョン受像機が検討されている。特許文献１には、メモリに予め設定されたモニタ角度に関する情報を記憶させ、回転指令を受けたとき、この記憶させたモニタ角度に関する情報を読み出して、回転駆動装置を駆動する技術が示されている。なお、特許文献２には、各ユーザ毎にリモコンを割り当ててそれぞれの制御データを記憶する技術が示されている。
【０００３】
【特許文献１】特開平６−２３７８４２６号公報
【特許文献２】特開２００２−７７７５４号公報
【発明の開示】
【発明が解決しようとする課題】
【０００４】
しかしながら、上記特許文献１に示された技術においては、回転指令に相当するキーを操作しなければならないため、使い勝手が悪い。また、ソファやベット等の複数の場所からテレビジョン受像機を視聴しようとした場合に、モニタ部を所望の角度にセットすることができない。
【０００５】
本発明は、上記課題を解決するためになされたものであり、ユーザに煩雑な操作を強いることなく、複数の場所からテレビジョン受像機を視聴しようとした場合においても所望の角度にモニタ部の角度をセットすることができるテレビジョン受像機を提供することを目的とする。
【課題を解決するための手段】
【０００６】
上記目的を達成するために請求項１の発明は、
テレビジョン放送信号を受信する受信手段と、この受信手段によって受信された放送信号を処理して映像信号及び音声信号に分離する映像音声信号処理手段と、この映像音声信号処理手段によって分離された映像信号を出力する映像出力手段と、映像音声信号処理手段によって分離された音声信号を出力する音声出力手段と、上記各部を制御する制御手段と、上記各部を収容する筐体と、この筐体を回動自在に支持する台座と、この台座に対して前記筐体を回動駆動する回動駆動手段と、前記制御手段に各種の指令を遠隔的に入力可能な第１指令入力手段と、この第１指令入力手段とは異なる場所から前記制御手段に各種の指令を遠隔的に入力可能な第２指令入力手段とを備えたテレビジョン受像機において、
前記第１指令入力手段及び第２指令入力手段ごとに、前記台座に対する前記筐体の角度を設定可能であり、
前記制御手段は、
前記第１指令入力手段及び第２指令入力手段のいずれか一方から指令の入力を受けたとき、該指令が前記いずれの指令入力手段から入力されたものかを判別し、
前記台座に対する前記筐体の角度が該当する指令入力手段について設定されている角度と一致するように、前記回転駆動手段を制御するものである。
【０００７】
請求項２の発明は、請求項１に記載のテレビジョン受像機において、
前記制御手段は、いずれかの指令入力手段から入力された指令を実行した後、前記回転駆動手段を制御するものである。
【０００８】
請求項３の発明は、請求項１に記載のテレビジョン受像機において、
前記制御手段は、前記回転駆動手段を制御する前又は制御する際に、前記筐体を回動させている旨の表示を前記映像出力手段から出力させるものである。
【０００９】
請求項４の発明は、請求項１に記載のテレビジョン受像機において、
前記第２指令入力手段は、前記第１指令入力手段に対して入力可能な指令が制限されているものである。
【発明の効果】
【００１０】
請求項１の発明によれば、第１指令入力手段及び第２指令入力手段ごとに、台座に対する筐体の角度を設定可能であり、制御手段が、指令の入力を受けたとき、それがいずれの指令入力手段から入力されたものかを判別し、該当する指令入力手段について設定されている角度と一致するように、回転駆動手段を制御する。従って、例えば、第１指令入力手段をソファの近傍に、第２指令入力手段をベッドサイドに配置することにより、各場所から指令入力手段を操作するだけで、ユーザの居る場所に自動的に筐体の角度を調整することができ、簡素な操作でテレビジョン受像機の画面の視認性の向上させることができる。また、指令入力手段の位置を検知する位置検出センサを要することなく、ユーザの居る場所に自動的に筐体の角度を調整できるので、テレビジョン受像機のコストダウンを図ることができる。
【００１１】
請求項２の発明によれば、制御手段が、いずれかの指令入力手段から入力された指令を実行した後、回転駆動手段を制御するので、筐体の回動に対して、ユーザが入力した指令の実行が優先される。これにより、筐体の回動に要する時間、指令の実行が遅延されるという事態が発生しないため、ユーザは快適にテレビジョン受像機を操作することができる。
【００１２】
請求項３の発明によれば、制御手段が、回転駆動手段を制御する前又は制御する際に、筐体を回動させている旨の表示を映像出力手段から出力させるので、操作に不慣れなユーザに対しても違和感を与えることがない。
【００１３】
請求項４の発明によれば、第２指令入力手段は、第１指令入力手段に対して入力可能な指令が制限されているので、配置場所や用途に応じて、指令入力手段を使い分けることができる。
【発明を実施するための最良の形態】
【００１４】
本発明を実施するための一実施形態について図面を参照して説明する。図１はテレビジョン受像機の外観を、図２は、テレビジョン受像機の内部構成をそれぞれ示している。テレビジョン受像機１は、テレビジョン放送信号を受信するチューナ（受信手段）２と、チューナ２によって受信された放送信号を復調するデコーダ３と、デコーダ３によって復調された放送信号を映像信号及び音声信号に分離する映像音声信号処理部（映像音声信号処理手段）４と、映像音声信号処理部４によって分離された映像信号を出力するモニタ画面を備えた映像出力部（映像出力手段）５と、映像音声信号処理部４によって分離された音声信号を出力するスピーカを備えた音声出力部（音声出力手段）６と、上記各部を制御するＣＰＵ等の制御部（制御手段）７と、制御部７の動作に必要な情報を記憶するメモリ８と、上記各部を収容する筐体１０と、筐体１０を支持する台座１１を有している。筐体１０は、台座１１によって、その設置面に対して略垂直な軸の周りに回動自在に支持されている。
【００１５】
テレビジョン受像機１は、さらに筐体１０を回動させる駆動力を付与するための回動駆動部（回動駆動手段）１２と、台座１１に対する筐体１０の角度を検知する角度センサ１３と、制御部７に各種の指令を遠隔的に入力可能な第１リモコン装置（第１指令入力手段）１４と、この第１リモコン装置１４とは異なる場所から制御部７に各種の指令を遠隔的に入力可能な第２リモコン装置（第２指令入力手段）１５と、第１リモコン装置１４及び第２リモコン装置１５から入力された赤外線信号を受信し電気信号に変換して制御部７に出力する赤外線受信部１６を有している。回動駆動部１２は、例えば、駆動力を発生するモータと、モータの発生した駆動力を伝達する歯車と、モータに駆動電圧を印加する駆動回路等によって構成されている。
【００１６】
第１リモコン装置１４は、受信チャンネルを選局するためのチャンネル選局キー２０、音声出力部６から出力される音声の音量等を調整するための方向キー２１、タイマー等の設定を行うための各種の設定キー２２等を有している。第２リモコン装置１５は、方向キー２３等によって構成され、第１リモコン装置１４よりも機能が制限されている。第１リモコン装置１４及び第２リモコン装置１５からは、各リモコン装置に固有のヘッダ情報及び各キーに対応するコマンド情報に相当する赤外線信号が出力される。制御部７は、赤外線受信部１６から入力された電気信号からどのリモコン装置からどのような指令が入力されたかを判断することができる。
【００１７】
図３及び図４は、第１リモコン装置１４及び第２リモコン装置１５から指令の入力を受けたテレビジョン受像機１の動作を示している。図３に示すように、第１リモコン装置１４から指令の入力を受けたとき、筐体１０は第１リモコン装置１４について設定されている角度に回動駆動される。図４に示すように、第２リモコン装置１５から指令の入力を受けたとき、筐体１０は第２リモコン装置１５について設定されている角度に回動駆動される。各リモコン装置についての筐体１０の角度設定は、例えば、テレビジョン受像機１の動作モードを角度設定モードに切り替えた後、第１リモコン装置１４の方向キー２１及び第２リモコン装置１５の方向キー２３等を操作することにより設定され、その設定された角度情報はメモリ８に記憶される。また、筐体１０の現在角度は、角度センサ１３によって検知され、制御部７は、角度センサ１３から出力される信号に基づいて回動駆動部１２を制御することにより、筐体１０の角度を設定された角度に変更する。
【００１８】
次に、各リモコン装置から指令が入力されたときの制御部７の動作を図５に示すフローチャートを参照して説明する。いずれかのリモコン装置から指令の入力を受けると（＃１においてＹＥＳ）、入力された指令を実行し（＃２）、筐体１０の角度を変更する旨の表示を映像出力部５に例えばオンスクリーンディスプレイにより表示させる（＃３）。そして、ヘッダ情報に基づいてどのリモコン装置が操作されたのかを判別し（＃４）、台座１１に対する筐体１０の角度が該当するリモコン装置について設定されている角度と一致するように、回動駆動部１２を制御する（＃５，６）。
【００１９】
以上のように、本実施形態のテレビジョン受像機１によれば、第１リモコン装置１４及び第２リモコン装置１５ごとに、台座１１に対する筐体１０の角度を設定可能であり、制御部７が、指令の入力を受けたとき、それがいずれのリモコン装置から入力されたものかを判別し、該当するリモコン装置について設定されている角度と一致するように、回動駆動部１２を制御する。従って、例えば、第１リモコン装置１４をソファの近傍に、第２リモコン装置１５をベッドサイドに配置することにより、各場所からリモコン装置を操作するだけで、ユーザの居る場所に自動的に筐体１０の角度を調整することができ、簡素な操作でテレビジョン受像機１の画面の視認性の向上させることができる。また、リモコン装置１４，１５の位置を検知する位置検出センサを要することなく、ユーザの居る場所に自動的に筐体１０の角度を調整できるので、テレビジョン受像機１のコストダウンを図ることができる。
【００２０】
また、制御部７が、いずれかのリモコン装置から入力された指令を実行した後、回動駆動部１２を制御するので、筐体１０の回動に対して、ユーザが入力した指令の実行が優先される。これにより、筐体１０の回動に要する時間、指令の実行が遅延されるという事態が発生しないため、ユーザは快適にテレビジョン受像機１を操作することができる。また、制御部７が、回動駆動部１２を制御する前又は制御する際に、筐体１０を回動させている旨の表示を映像出力部５から出力させるので、操作に不慣れなユーザに対しても違和感を与えることがない。また、第２リモコン装置１５は、第１リモコン装置１４に対して入力可能な指令が制限されているので、配置場所や用途に応じて、リモコン装置１４，１５を使い分けることができる。
【００２１】
なお、本発明は上記実施形態の構成に限られることなく、少なくとも、いずれかのリモコン装置１４又は１５から指令の入力を受けると、そのヘッダ情報に基づいてどのリモコン装置が操作されたのかを判別し、台座１１に対する筐体１０の角度が該当するリモコン装置１４又は１５について設定されている角度と一致するように、回動駆動部１２を制御するように構成されていればよい。また、本発明は種々の変形が可能であり、例えば、第２リモコン装置１５は、第１リモコン装置１４と同等の機能を有するものであってもよい。また、３個以上のリモコン装置を備えたテレビジョン受像機にも適用可能である。
【図面の簡単な説明】
【００２２】
【図１】本発明の第１実施形態によるテレビジョン受像機の外観を示す図。
【図２】同テレビジョン受像機の内部構成を示すブロック図。
【図３】第１リモコン装置から指令を受けたテレビジョン受像機の動作を示す平面図。
【図４】第２リモコン装置から指令を受けたテレビジョン受像機の動作を示す平面図。
【図５】制御部の動作を示すフローチャート。
【符号の説明】
【００２３】
１    テレビジョン受像機
５    映像出力部（映像出力手段）
７    制御部（制御手段）
１０    筐体
１１    台座
１２    回動駆動部
１３    角度センサ
１４    第１リモコン装置（第１指令入力手段）
１５    第２リモコン装置（第１指令入力手段）
【図１】
2008294975.tif 000003
【図２】
2008294975.tif 000004
【図３】
2008294975.tif 000005
【図４】
2008294975.tif 000006
【図５】
2008294975.tif 000007